(57)【要約】【課題】  切断すべき植物の切断をより良く行うことができる切断ヘッドを提供すること。【解決手段】  草刈機やエッジトリマー等に用いられる切断ヘッドは、複数の切断ワイヤ用の複数のワイヤ出口を備えている。本発明によれば、各切断ワイヤ出口の軸は、少なくとも２つの平面上（Ｐａｃ、Ｐｃｂ）に分散されており、これらの平面（Ｐａｃ、Ｐｃｂ）は各ワイヤの高さ（Ｈ１）の約１．８倍以上の距離（Ｈ２）で互いに離間している。各平面において各々のワイヤ出口は同じレベルとなっており、全ての平面においてヘッドの回転方向は同一となっている。
2006514835.tif 000002
【特許請求の範囲】
【請求項１】
草刈機やエッジトリマー等に用いられ、複数の切断ワイヤ（３００）用の複数のワイヤ出口（１１５）を備えた切断ヘッドであって、
前記各切断ワイヤ出口の軸は、少なくとも２つの平面上（Ｐａｃ、Ｐｃｂ）に分散されており、これらの平面（Ｐａｃ、Ｐｃｂ）は各ワイヤの高さ（Ｈ１）の約１．８倍以上の距離（Ｈ２）で互いに離間しており、各平面において各々のワイヤ出口は同じレベルとなっており、全ての平面において前記ヘッドの回転方向は同一となっていることを特徴とする切断ヘッド。
【請求項２】
少なくとも２つの前記平面（Ｐａｃ、Ｐｃｂ）は各ワイヤの高さ（Ｈ１）の約５倍以下の距離（Ｈ２）で互いに離間していることを特徴とする請求項１記載の切断ヘッド。
【請求項３】
前記ヘッドの周方向において、第１の平面（Ｐａｃ）で延びるワイヤ（３００）は、第１の平面に隣接する第２の平面（Ｐｃｂ）で延びるワイヤと交互に配置されていることを特徴とする請求項１または２記載の切断ヘッド。
【請求項４】
前記切断ヘッドの周方向において、ワイヤ（３００）は規則的に分散して前記ヘッドから出ていることを特徴とする請求項３記載の切断ヘッド。
【請求項５】
第１の平面（Ｐａｃ）内で正反対の領域に延びる２つのワイヤ（３００）が設けられるとともに、第１の平面に隣接する第２の平面（Ｐｃｂ）で正反対の領域に延びる２つのワイヤが設けられ、ワイヤ出口（１１５）は周方向において各々約９０°毎に配置されていることを特徴とする請求項４記載の切断ヘッド。
【請求項６】
各ワイヤ（３００）は隆起部を有し、
前記ヘッドは、各ワイヤを、当該ワイヤの切断隆起部が植物の刈り取りを行うことができる位置となるような方向に維持するための手段（１１５、１２０）を有することを特徴とする請求項１乃至５のいずれか一項に記載の切断ヘッド。
【請求項７】
各ワイヤ（３００）の断面は実質的に四角形となっており、当該各ワイヤ（３００）は、対応するワイヤ出口（１１５）の軸を含む平面（Ｐａｃ；Ｐｃｂ）に実質的に適合するような２つの反対側にある隆起部を有するよう形成されていることを特徴とする請求項６記載の切断ヘッド。
【請求項８】
前記ヘッドは、互いに反対側にあり前記ヘッドに隠されたワイヤのチャンネルを共に形成するのに適合するワイヤの半チャンネル（１２０）を画成するような概してディスク形状となっている組立部品（１１０）により構成されることを特徴とする請求項１乃至７のいずれか一項に記載の切断ヘッド。
【請求項９】
ワイヤ出口の各平面（Ｐａｃ、Ｐｃｂ）間の距離（Ｈ２）は中間部分（１１０ｃ）の厚さにより決まり、
この中間部分（１１０ｃ）は、一方の表面に設けられた上側平面のワイヤ用の半チャンネルと、反対側の表面に設けられた下側平面のワイヤ用の半チャンネルとを有することを特徴とする請求項８記載の切断ヘッド。
【請求項１０】
草刈機やエッジトリマー等の植物切断装置において、
請求項１乃至９のいずれか一項に記載の切断ヘッド（１００）を回転駆動するのに適したモータを備えたことを特徴とする植物切断装置。
【発明の詳細な説明】
【技術分野】
【０００１】
本発明は、概して草刈機やエッジトリマーといった植物を切断する装置の分野に関する。
【背景技術】
【０００２】
このタイプの装置において、予備体から巻き戻されたあるいは個々の束の形となっている１または複数の切断ワイヤは、装置を駆動するためのモータにより回転駆動させられる切断ヘッドに堅固に取り付けられており、回転軸に対して略放射状に延在している。
【０００３】
概して、複数のワイヤが切断ヘッドに取り付けられるとき、これらの出口は全て同じ高さ（レベル）に存在している。すなわち、前記出口の軸は全て、ヘッドの回転軸に対して垂直な平面に含まれている。
【０００４】
その結果、切断ワイヤの軌道は実質的に平面上に位置することとなり、良好な切断性能が得られる。
【０００５】
異なるワイヤ出口の軸が少なくとも２つの互いに異なる平面上に位置するような、複数の切断ワイヤを有する切断ヘッドが開発されている。すなわち、これらのワイヤ出口は、ヘッドの回転軸とは異なるレベルに配置されている。
【０００６】
とりわけ、米国特許第４９０５４６５号明細書、オランダ特許第８３０２１１１号明細書および米国特許第５０４８２７８号明細書において述べられている。
【０００７】
このような明細書において、複数の切断ワイヤの配置によっては、切断性能を向上させて植物に対する切断を促進することができることが述べられている。
【０００８】
出願人により行われたテストによれば、あるケースにおいて植物に対する切断性能が向上したことが発見された。
【０００９】
このように、本発明は、切断ワイヤが複数のレベルに設けられ、切断性能が向上した切断ヘッドを提供することを目的とする。
【００１０】
この際に、ワイヤをロックする技術は複数知られている。
【００１１】
これらの技術のうちの一つは、カムのような可動式のロック部材を用いている。このロック部材は、バネおよび／またはヘッドの回転の際に発生する遠心力により作動し、ワイヤに対して圧力を与える。そして、支持用の対向表面がロック部材の反対側に設けられており、ワイヤをロック部材と支持表面との間で捉えるようになっている。米国特許第４３０１６４２号明細書、米国特許第４３３５５１０号明細書および欧州特許第０８２４８５４号明細書に、このような技術の例が述べられている。
【００１２】
ロック部材の改善を行うにあたり、ロック部材の表面に、ワイヤの材料（通常はポリアミド）をより十分に固定することができるような複数の歯を設ける方法が知られている。
【００１３】
このような設備にもかかわらず、ヘッドにおけるワイヤの保持を十分な実効性で達成することができない場合がときどき発生する。このような場合において、牽引力がワイヤに対して働き、とりわけ切断の際に障害物、あるいは堅い植物または茂みみたいな植物に衝突した場合には、ワイヤはロック部材に対して移動し、ヘッドからワイヤが飛び出してしまうことがある（束のワイヤの場合）。
【００１４】
この問題点は、堅い材料（特定のまたは圧力が加えられたポリアミド）のワイヤが全体的または部分的に用いられるときに、および／またはワイヤおよびロック部材の間の接触が良好ではないような部分を当該ワイヤが有するときに、より一層発生しがちである。
【発明の開示】
【発明が解決しようとする課題】
【００１５】
本発明は、このような従来技術の制限を解決し、改善されたワイヤのロックを提供することを目的とする。
【課題を解決するための手段】
【００１６】
この目的を達成するために、本発明は、草刈機やエッジトリマー等に用いられ、複数の切断ワイヤ用の複数のワイヤ出口を備えた切断ヘッドであって、前記各切断ワイヤ出口の軸は、少なくとも２つの平面上に分散されており、これらの平面は各ワイヤの高さの約１．８倍以上の距離で互いに離間しており、各平面において各々のワイヤ出口は同じレベルとなっており、全ての平面において前記ヘッドの回転方向は同一となっていることを特徴とする切断ヘッドを提供する。
【００１７】
この切断ヘッドの好ましい態様について以下に説明するが、このことに限定されることはない。
【００１８】
少なくとも２つの前記平面は各ワイヤの高さの約５倍以下の距離で互いに離間している。
【００１９】
前記ヘッドの周方向において、第１の平面で延びるワイヤは、第１の平面に隣接する第２の平面で延びるワイヤと交互に配置されている。
【００２０】
前記切断ヘッドの周方向において、ワイヤは規則的に分散して前記ヘッドから出ている。
【００２１】
第１の平面内で正反対の領域に延びる２つのワイヤが設けられるとともに、第１の平面に隣接する第２の平面で正反対の領域に延びる２つのワイヤが設けられ、ワイヤ出口は周方向において各々約９０°毎に配置されている。
【００２２】
各ワイヤは隆起部を有し、前記ヘッドは、各ワイヤを、当該ワイヤの切断隆起部が植物の刈り取りを行うことができる位置となるような方向に維持するための手段を有する。
【００２３】
各ワイヤの断面は実質的に四角形となっており、当該各ワイヤは、対応するワイヤ出口の軸を含む平面に実質的に適合するような２つの反対側にある隆起部を有するよう形成されている。
【００２４】
前記ヘッドは、互いに反対側にあり前記ヘッドに隠されたワイヤのチャンネルを共に形成するのに適合するワイヤの半チャンネルを画成するような概してディスク形状となっている組立部品により構成される。
【００２５】
ワイヤ出口の各平面間の距離は中間部分の厚さにより決まり、この中間部分は、一方の表面に設けられた上側平面のワイヤ用の半チャンネルと、反対側の表面に設けられた下側平面のワイヤ用の半チャンネルとを有する。
【００２６】
また、本発明は、上述の切断ヘッドと、前記ヘッドを回転駆動させるモータとを備えたことを特徴とする草刈機やエッジトリマー等の植物切断装置を提供する。
【００２７】
本発明の他の態様、目的、有益な点は、非制限的な実施の形態や添付図面を参照として、本発明の好ましい実施の形態に関する以下の詳細な記載から明白に示される。
【発明を実施するための最良の形態】
【００２８】
主要なこととして、図面において、同一または類似の要素又は部分は、可能であれば、同じ参照番号により同定されている。
【００２９】
図１乃至図３には、参照番号１００として包括的に示される本発明による草刈機やエッジトリマー等に用いる切断ヘッドが示されており、切断ヘッドは、本質的に完全に慣習的な方法で固定装置と共同する対応するプレートだけでなく、固定装置２０２（ワッシャー、ナット、回転機構）のために設けられる駆動シャフト２００の末端に取り付けられるのに適している。
【００３０】
切断ヘッドは、駆動シャフト２００の回転軸と同軸を有する二つのディスク形状部１１０ａ、１１０ｂをかぶせて組み立てることにより得られ、この切断ヘッドは、二つのディスク形状部の正面をお互いに合わせて、後述するようにワイヤの束を通してこれらの束を保持するように配置される。
【００３１】
図１にはシャフト２００を組み立てる前の切断ヘッド１００が示されており、図２と図３は各々、部分的な切取図と正面図により、シャフト上に取り付けられた切断ヘッドを示している。
【００３２】
図４において、ディスク形状部１１０（図１乃至図３における部分１１０ａと１１０ｂの一つ）は、切断ヘッドの完成品を構成している。駆動シャフト２００を通すことのできる中心穴１１００が設けられている。
【００３３】
この部分１１０は、一連の４５°のベベル（斜角面）１１１、１１１’（外方ベベル）、１１１”（中心ベベル）を有し、内部では突出した部分の境界を決め、外部では凹んでいる部分の境界を決める。本実施の形態におけるベベルの全体的な輪郭は、円形であり、この輪郭から一定の距離の位置に固定されているディスクの外形に従っている。
【００３４】
特に、二つのベベル１１１、１１１”は直線状にお互い隣接して延在しており、切断ワイヤ束通路の第一領域１１２の境界になっている。この通路は第一開口部１１３と第二開口部１１５において外部に対して開口し、切断ワイヤの束を放出している。領域１１２が延在する方向に延びる軸Ａは、ディスク形状部の中心ＣからＤで示される一定の距離だけ離れて配置されている。
【００３５】
開口部１１３において、ベベルの湾曲半径は小さくなっており、ワイヤの束が配置された場合には、ワイヤの束を単純に導く。
【００３６】
ワイヤ放出口１１５において、ベベル１１１”は湾曲した支持領域１２０の形を定め、好ましくは傾斜を変えることなく一方でワイヤ通過部１１２と連結するとともに、他方で３つのベベルに連結して形成される円状の周辺部に連結している。湾曲した支持領域１２０は、切断時、特に切断ヘッドの回転中に切断を妨げて壊れる原因となる障害物と接触する（切断ヘッドの回転方向は、矢印Ｆで示されている）場合に、ワイヤの束を支持している。本発明の一つの態様として、ワイヤ通路１１２が部分１１０の中心Ｃ、すなわち切断ヘッドの回転軸から横方向にオフセットしているので、湾曲した支持領域１２０は、中心Ｃから幾何学的に延在したワイヤ通路を有する先行技術における湾曲半径よりも遥かに大きな湾曲半径を有することができるのは重要である。
【００３７】
特に従来技術においては、切断ヘッドの中心部は必然的にシャフトにより占有されているので、一方で切断ワイヤの束の固定部を設け、他方で湾曲した支持表面を設けるための軸方向の空間をほとんど得ることができなかった。
【００３８】
これに対して、本発明の部材により、湾曲半径Ｒを遥かに大きくすることができ、湾曲半径Ｒを距離Ｄと（少なくとも部分的には）同等、又はかなり大きくすることができる。
【００３９】
湾曲した支持領域は、（異なる半径の円形部分を有する円、楕円、放射線等といった）あらゆる湾曲した幾何学形状であればよい。特に、一つ又はそれ以上の一定の湾曲した半径及び/又は連続的に変化する湾曲した半径であればよい。
【００４０】
湾曲した支持領域の湾曲はあまり湾曲していないので、ワイヤ素材にはあまり力がかからないため、ワイヤの束の疲労と同様に動きはかなり減り、このことは、切断するための（歯等の）部材及び／又は回転する際のノイズを減らす（凹部や突出部等の）部材及び／又は例えば消耗を防止するための（充填したポリアミド等の）異なる材料部を備える現在の切断ワイヤにとってはとても重要なことである。
【００４１】
ディスク形状部１１０は、ワイヤの束の通路部１１２の断面において、後述するワイヤを固定するシューをうける空洞１１４も有している。ここでは、この空洞はワイヤ通過部に対し開口するとともに、逆側の側面においてワイヤ通路１１２の軸Ａに対して一定の角度で配向している垂直で斜めになっていない表面と、軸Ａから最も離れた表面１１６の末端に隣接した位置に、後に詳述するようにシュー圧力バネをくさびで留める一方のふさがった凹み１１７とを有している。
【００４２】
また図４に示されるように、穴１１８は、同様に設計された一又はその他のディスク形状部１１０を組み立てるネジ又はスタッドを通すのに適している。
【００４３】
最終的に図４には、上述した部材に対して１８０°回転させた対称を有し、第二のワイヤの束のためのいくつかの第二の通路、支持領域、固定装置を有する部分１１０が示されており、これらの部材は、「プライム」符号のついた同じ参照符号により同定される。
【００４４】
図５には、図４に示された部材を有する第一のディスク形状部１１０ａと、鏡面対象の対応する部材を有する第二のディスク形状部１１０ｂとを、組立てられたときにこれらの全ての部材がもう一方の部分１１０ａに含まれる対応した部材の上部に設けられるよう組立てることにより完成する切断ヘッドがより詳しく示されている。
【００４５】
このような組立体は、一定の菱形をしたワイヤ束通路を形成する。略四角形であって、ヘッド内に形成される通路の横断面よりのわずかに小さな横断面の切断ワイヤの束を使用することにより、これらの通路は、各ワイヤの束の隆起部が切断効率を改善して切断するための誘導部を構成するように束を保持する。
【００４６】
しかしながら、そのようなヘッドは、ワイヤ通路内でトラップされずに係合するならば、どのような横断面の切断ワイヤの束に使用されてもよい。
【００４７】
図４に記載される部材を基にして、図５には、垂直方向に同じ高さに配置されるとともに、正確な半径方向から斜め方向であって正反対の方向へとヘッドからでている二つのワイヤを有する切断ヘッドが示されている。
【００４８】
図６は、第三のヘッドの中間部を有する別のディスク形状部１１０ｃの正面図である。
【００４９】
この部分１１０ｃは図４に示されたような二セットの部材を有し、各々は対面し、好ましくは９０°オフセットしている。これらの部材セットの一方は部分１１０ａと同様の部材を形成し、これらの部材セットの他方は部分１１０ｂと同様の部材を形成する。結果として、中間部１１０ｃに合わせるために、部分１１０ａと１１０ｂの部材はお互いに９０°オフセットしている。
【００５０】
このように、完成された切断ヘッドは、正反対に対置した放出口を設けた二つのワイヤの束を有する上層と、正反対に対置した放出口を設け、二つのワイヤの束を有するとともに、第一の上層とは９０°オフセットしている下層とを有する。
【００５１】
この切断ヘッドは図７に正面図が示されている。この図には１１３ａｃと１１３ｃｂで示される二つの開口が示されており、９０°オフセットするとともに、二つの高さに配置している。ワイヤを放出する開口はこの図には示されていない。
【００５２】
二つのレベルにワイヤを配置することにより、ワイヤレベルのプレーン間の距離を選択した場合、切断プラント材料を有益に切断することができる。特に、図７において、二つのワイヤレベルの各プレーン間Ｐａｂ、Ｐｂｃの距離Ｈ２が（ほぼ通路の高さに対応する）ワイヤの高さＨ１の１.８倍以上であり、好ましくは同じ高さＨ１の５倍以下であれば、特に十分に切断することができる。たとえば、幅４ｍｍの四角形の横断面を有するワイヤを用いた場合、対角線はほぼ５．６ｍｍであり、切断プレーン間の高さ方向のオフセットは約１０ｍｍより大きくなる。
【００５３】
このような構成において、上述したようにワイヤ放出口の互いの角度がオフセットしている場合には、好ましく切断することができる。上述したように放出口が円周方向に規則的に間隔を置いて配置されることが好ましい。
【００５４】
しかしながら、（上層の部材と下層の部材の間の角度のオフセットが９０°でない場合に特におこる）ワイヤ放出口が不規則な間隔を置いて配置されている場合であっても、満足のいく結果を得ることができる。
【００５５】
図８は図７における切断ヘッドを上方から見た概略図を示している。この切断ヘッドには、３つのワイヤの束３００が挿入されており、ワイヤの束３００はワイヤ放出口１１５から放出するとともに、開口部１１３近傍で止められている。この図には、ワイヤの束を受けるための湾曲した支持表面１２０も示されている。ヘッドの回転方向は矢印Ｆで示されている。
【００５６】
さらに、前述されているように、部分１１０ｃ型の二つ又はそれ以上の中間部と、二つの末端部１１０ａ、１１０を使用することにより、ヘッドは、あらゆる高さになることができる。
【００５７】
例えば、上部と下部の部材が互いに６０°オフセットしている中間部を使用し、上方部分と下方部分１１０ａ、１１０ｂの間に二つの中間部をもうけることにより、円周方向に規則的に配置したワイヤ放出口を有する３層の切断ヘッドを得ることができる。
【００５８】
図８Ａには、縦方向によって示された、個々のワイヤの束３００に用いられるヘッドによって形成された湾曲した支持表面１２０の斜視図が示されている。
【００５９】
湾曲した支持表面は、二つの隣接するディスク形状部１１０ａ、１１０ｂの湾曲した支持領域１２０ａ、１２０ｂ（図５に示されている型）により形成され、湾曲した支持表面は、各々の部分の４５°のベベル１１１”に順次形成されている。
【００６０】
そのため、湾曲した支持表面は、９０°の角度を有するＶ字の断面を有し、この断面は通路の放出口におけるワイヤ３００の横断面に調和している。このように、支持表面は、あらゆる場合、特に、ワイヤが植物からの抵抗をうけ、支持表面１２０上に支持されている場合に、切断するのに最適な方向にワイヤを保持するために使用されている。
【００６１】
通常、湾曲した支持表面の断面はワイヤの横断面の型に合わせて適用される。この点に関して、円形の横断面を有するワイヤを用いる場合であっても、凹んだ円形断面を有する湾曲した支持領域にワイヤを配置することができる。このことにより、ワイヤが前記領域に配置された場合には、切断面においてワイヤの軌道を安定させることにより、ワイヤにかかる疲労を小さくすることができるとともに、切断効率をよくすることができる。特に、このことにより、切断方向（使用時における垂直方向）に対して垂直方向にかかる無駄な動的エネルギーを解消することができる。
【００６２】
図９及び図１０には、一対のディスク形状部（一の切断レベルを持つ装置の基本構造における部分１１０ａと１１０ｂ）内に取り付けられているワイヤ固定機構が示されている。この機構は、本体内に配置されたシュー４００を有し、シュー４００は、一方のディスク形状部１１０ａ（図４参照）内に形成された空洞１１４と、他方のディスク形状部１１０ｂ内に形成された対応するとともに並列する空洞とによって形成されている。
【００６３】
このシュー４００は、ワイヤ通路１１２の軸Ａを横断して延在する複数の歯４０４を有するとともに、前記通路内１１２において係合された切断ワイヤ３００をつかむ第一の面と、上述された第一の面に対して斜めに延在するとともに、本体の後面に配置され、二つのディスク形状部の表面１１６によって形成される反対の面とを有する。
【００６４】
圧力バネ５００は、二つのディスク形状部の一方が塞がっている凹み１１７により連結されて形成されるバネシートと、シューの最も高い部分に配置されるシューの圧力部に形成される凹み４０８との間で作動する。
【００６５】
逆側の側面（前方側面）において、シューはより前方に配置された歯４０４から上方の斜めに配向している傾斜断面４０６を有する。
【００６６】
予め好ましい長さに切断されているワイヤの切断束３００は、放出口１１５から設けられたワイヤ通路１１２内で、図９に示す矢印Ｆ’の方向で係合されている。このようにして、ワイヤの束は、バネ５００の（緩やかな）力と反対方向にシュー４００の後部面を押し、本体の後面１１６、１１６に対してスライドさせることにより、ワイヤの束を通すのに必要な量だけシューを上昇させることができる。図９に示されるように、図９におけるワイヤの束の左方末端が開口部１１３に達するまで、ワイヤの束は押されることが好ましい。このようにして、操作者は、ワイヤが固定するシューを超えて十分に係合されていることを確認することができる。前方傾斜断面４０６によってワイヤの束が導かれることにより、ワイヤの束を正確にシュー４００の歯側を通すことができる。
【００６７】
典型的には、装置が作動している場合に植物に対する摩擦や衝撃によって、矢印Ｆ’の反対方向にワイヤの束に引力がかかるとすぐに、一方向のロックとして機能するシュー４００は、歯４０４を介して把持することにより、増加する引力よりもかなり大きな保持力をワイヤの束３００にかけることができ、これは、シューの表面４０２と共同して曲率効果を与える本体の傾斜表面１１６、１１６によるものである。
【００６８】
スライドするシューを有する固定機構の特に有益な点は、かみ合うカムなどを有する既知の機構と比較して特に、一方では、シュー本体１１４、１１４の後部面１１６、１１６によりかなり堅固に支持されているシューによりワイヤの束にかかる保持力をかなり強くすることができるとともに、他方では、ワイヤ３００の長さによって、歯４０４がワイヤと共同して作動する範囲を、既知のカム機構よりも遙かに大きくすることができる。
【００６９】
他の有益な点は、（i）ワイヤの束は開口部１１５を通って通路に容易に挿入されるとともに、開口部１１３を通って通路から容易に取り除くことができ、開口部１１３、１１５はヘッドの周縁に配置されていることと、（ｉｉ）固定機構が通路１１２とヘッドの周縁との間に配置される。すなわち、切断装置上にヘッドを取り付けるための部材（シャフトとナットを設けるための凹み）が設けられるヘッドの中心部に干渉されない。
【００７０】
図９及び図１０に示される実施の形態において、図１０に示されるように、ワイヤの束を保持する歯４０４はワイヤを直線状に横断する方向に延在している。
【００７１】
他の有益な点によると、ワイヤ束係止部（スライドするシュー、回転するカム又は他のグリップ要素のいずれであっても）は、ワイヤをより良く保持するような形状をしている。
【００７２】
このように、図９及び図１０において歯４０４とワイヤとの共同作用は、シューに対向して配置しているワイヤの突起部の位置でのみ行われており、図１１及び図１２に示されるように、歯はワイヤの形状に合わせた断面を有している。これらの図面には、互いに９０°で配向した凹み４０３を有する断面を形成する二列の歯４０４ａ、４０４ｂが示されている。結果として、各列の歯は、四角形の横断面の先端の部分において、ワイヤの全体表面や全体表面の実質的な部分と共同して作用するので、ワイヤを保持するためにシューとワイヤとが共同して作用する範囲は、かなり大きくなる。
【００７３】
より一般的には、あらゆる凹んだ断面は、ワイヤの横断面の形状に関係なくワイヤをより良く受けるために、シュー４００の歯の高さに配置されている。
【００７４】
図１３には、中心が湾曲して凹んだ断面を有するシュー４００の歯の部分と、この凹みの両側に配置された凸状の断面を有する二列の歯４０４ａ、４０４ｂとが示されている。この場合、歯とワイヤとの二列の接触面により把持力が主に増加する。
【００７５】
図１１、図１２及び図１３に示される固定するためのシューにより、記載されたように菱形として設けられた四角形の横断面のワイヤだけでなく、他の多くの横断面をしたワイヤ、特に円形の横断面をしたワイヤに対するワイヤを保持する効率が改善された。
【００７６】
図１４はその部分について、円形の横断面を有する切断ワイヤを用い、ワイヤを受けるのに適した凸部を有し、ワイヤの湾曲半径と歯の断面の湾曲半径が好ましくは互いに等しくなっている歯の列が使用されている場合を示している。
【００７７】
ワイヤに接触する凹んだ断面部分を有するワイヤの係止部は、シューだけでなくカム等の他の要素にも使用することができることがわかる。
【００７８】
このように、図１５及び図１６には、回転軸４０１上に取り付けられたカム４００の助力を受け、圧力バネ５００により作動する円形の横断面を有する切断ワイヤ３００の固定部が示されている。 歯４０４は、軸４０１により形成される回転軸に対して偏心軸をもつ円形部分に配置されている。
【００７９】
この実施の形態において、カムは、互いの延在方向に略直線となった２列の歯４０４ａ、４０４ｂを有しており（図１６参照）、これらの列は、中心溝４０３により分離されていることが示されている。このような歯の断面により、ワイヤの多くの形状に対し、ワイヤをさらに良く留めることができる。
【００８０】
当然のことだが、本発明は記載されて示された実施の形態に限定されず、当業者は多くの変形例や修正例を提供することができる。
【００８１】
さらに、上述された新しい切断ヘッドの異なる態様は、頻繁に、互いに独立して実行され、また異なる方法で組み合わせることができる。
【図面の簡単な説明】
【００８２】
【図１】本発明の一の実施の形態による切断ヘッドの側面図。
【図２】本発明の一の実施の形態による切断ヘッドの側面図。
【図３】本発明の一の実施の形態による切断ヘッドの側面図。
【図４】本発明による切断ヘッドの一部を構成するディスク形状部の概略平面図。
【図５】切断ヘッドを形成するよう組み立てられる二つのディスク形状部の縦断面図。
【図６】他の二つの部分を用いて本発明による別の切断ヘッドを形成することのできる、ディスク形状中間部の概略縦断面図。
【図７】組み立てられた状態にある他の切断ヘッドの縦断面図。
【図８】切断ワイヤの４つの束を有する図７に示された切断ヘッドの概略平面図。
【図８Ａ】一つの束に用いられる切断ヘッドにより決められる湾曲した支持領域の斜視図。
【図９】ワイヤの束の固定装置に適した図４に示されるディスク形状部の詳細図。
【図１０】図９におけるＸ−Ｘ線に沿った横断面図。
【図１１】ワイヤの固定装置の実施の形態の第一の変形例を示す横断面図。
【図１２】図１１における固定装置に属する固定部材の斜視図。
【図１３】ワイヤの固定装置の実施の形態の第二の変形例を示す横断面図。
【図１４】ワイヤの固定装置の第三の変形例を示す横断面図。
【図１５】ワイヤの固定装置の第四の変形例を示す平面図。
【図１６】図１５におけるＸＶＩ−ＸＶＩ線に沿った断面図。
【図１】
2006514835.tif 000003
【図２】
2006514835.tif 000004
【図３】
2006514835.tif 000005
【図４】
2006514835.tif 000006
【図５】
2006514835.tif 000007
【図６】
2006514835.tif 000008
【図７】
2006514835.tif 000009
【図８】
2006514835.tif 000010
【図９】
2006514835.tif 000011
【図１０】
2006514835.tif 000012
【図１１】
2006514835.tif 000013
【図１２】
2006514835.tif 000014
【図１３】
2006514835.tif 000015
【図１４】
2006514835.tif 000016
【図１５】
2006514835.tif 000017
【図１６】
2006514835.tif 000018
【国際調査報告】
2006514835.tif 000019
2006514835.tif 000020
2006514835.tif 000021